(57)【要約】      （修正有）【課題】溶接ボルトを損傷させることなく、確実に溶接を行うことができる溶接電極を提供する。【解決手段】円盤状のボルト頭部２０Ａに、ボルト頭部の外径より短い外径を有する円柱状のボルト軸部２０Ｂを一体成形した溶接ボルト２０を、ボルト軸部の外径より長く、かつボルト頭部の外径より短い内径を有する穴３０Ａが穿設された被溶接板３０に、溶接する際に使用される溶接電極１０において、断面が凸型形状に形成され、電極軸部６０が電極頭部５０に一体成形された電極本体４０と、電極本体の中央部分に穿設された貫通孔７０と、貫通孔の内側面に形成された段差８０と、貫通孔の内側面うち段差の上側部分に、ボルト軸部２０Ｂを覆うようにして固着された円筒状の絶縁スリーブ９０とを備える。【選択図】図１
0003209901.tif 000002
【実用新案登録請求の範囲】
【請求項１】
円盤状のボルト頭部に、前記ボルト頭部の外径より短い外径を有する円柱状のボルト軸部を一体成形した溶接ボルトを、前記ボルト軸部の外径より長く、かつ前記ボルト頭部の外径より短い内径を有する穴が穿設された被溶接板に、溶接する際に使用される溶接電極において、
断面が凸型形状に形成され、電極頭部の外径より短い外径を有する電極軸部が、前記電極頭部から下方に突出するようにして、前記電極頭部に一体成形された電極本体と、
前記電極本体の中央部分に穿設され、前記ボルト軸部の外径より長く、かつ前記ボルト頭部の外径より短い内径を有する貫通孔と、
前記ボルト軸部が、前記電極本体上に載置された前記被溶接板の前記穴を介して前記貫通孔内に挿入され、前記ボルト頭部が前記被溶接板に接触した状態において、前記ボルト軸部の下端より下方の位置であって、かつ前記貫通孔の内側面に形成された段差と、
前記貫通孔の内側面うち、前記段差の下側部分より長い内径を有する前記段差の上側部分に、前記ボルト軸部を覆うようにして固着され、前記ボルト軸部の外径より長い内径を有する円筒状の絶縁スリーブと
を備えることを特徴とする溶接電極。
【考案の詳細な説明】
【技術分野】
【０００１】
本考案は、溶接電極に関する。
【背景技術】
【０００２】
従来、ウエルドボルトと呼ばれる溶接ボルトを鉄板に溶接する際に使用される溶接電極として、種々の溶接電極が開発及び提案されている。
【考案の概要】
【考案が解決しようとする課題】
【０００３】
本考案は、溶接ボルトを損傷させることなく、確実に溶接を行うことができる溶接電極を提供することを目的とする。
【課題を解決するための手段】
【０００４】
本考案の溶接電極は、
円盤状のボルト頭部に、前記ボルト頭部の外径より短い外径を有する円柱状のボルト軸部を一体成形した溶接ボルトを、前記ボルト軸部の外径より長く、かつ前記ボルト頭部の外径より短い内径を有する穴が穿設された被溶接板に、溶接する際に使用される溶接電極において、
断面が凸型形状に形成され、電極頭部の外径より短い外径を有する電極軸部が、前記電極頭部から下方に突出するようにして、前記電極頭部に一体成形された電極本体と、
前記電極本体の中央部分に穿設され、前記ボルト軸部の外径より長く、かつ前記ボルト頭部の外径より短い内径を有する貫通孔と、
前記ボルト軸部が、前記電極本体上に載置された前記被溶接板の前記穴を介して前記貫通孔内に挿入され、前記ボルト頭部が前記被溶接板に接触した状態において、前記ボルト軸部の下端より下方の位置であって、かつ前記貫通孔の内側面に形成された段差と、
前記貫通孔の内側面うち、前記段差の下側部分より長い内径を有する前記段差の上側部分に、前記ボルト軸部を覆うようにして固着され、前記ボルト軸部の外径より長い内径を有する円筒状の絶縁スリーブと
を備える。
【考案の効果】
【０００５】
本考案の溶接電極によれば、溶接ボルトを損傷させることなく、確実に溶接を行うことができる。
【図面の簡単な説明】
【０００６】
【図１】本考案の実施の形態による溶接電極を用いて溶接を行う場合における分解斜視図及び縦断面図である。
【考案を実施するための形態】
【０００７】
以下、本考案の実施の形態について図面を参照して説明する。
【０００８】
図１に、本考案の実施の形態による溶接電極１０を用いて溶接を行う場合の様子を示す。このうち、図１（ａ）は、当該溶接電極１０を用いて溶接を行う場合における分解斜視図を示し、図１（ｂ）は、図１（ａ）中のＡ−Ａ’線に沿って切断した場合における縦断面図を示す。
【０００９】
この溶接電極１０は、ウエルドボルトと呼ばれる溶接ボルト２０を、例えば鉄板などからなる被溶接板３０に溶接する際に使用される。
【００１０】
溶接ボルト２０は、円盤状に形成されたボルト頭部２０Ａのうち、被溶接板３０との接合面側であって、かつその中央付近に、円柱状のボルト軸部２０Ｂを突出するようにして一体成形することにより形成されている。
【００１１】
また、ボルト頭部２０Ａのうち、被溶接板３０との接合面側であって、かつボルト軸部２０Ｂの周囲には、溶接の際に使用される複数の突起部２０Ｃが、ボルト軸部２０Ｂを取り囲むようにして、所定間隔毎に一体成形されている。
【００１２】
被溶接板３０は、例えば鉄板などからなり、その中央付近には、溶接ボルト２０のうち、ボルト軸部２０Ｂの外径より長く、かつボルト頭部２０Ａの外径より短い内径を有する円形状の穴３０Ａが穿設されている。
【００１３】
本実施の形態の場合、溶接ボルト２０を被溶接板３０に溶接する際に、下側に配置される下側電極として、溶接電極１０が使用される。この溶接電極１０は、例えばベリリウム銅など、種々の導電性材料からなる。
【００１４】
溶接電極１０の電極本体４０は、断面が凸型形状に形成され、略円柱状に形成された電極頭部５０のうち、被溶接板３０との非接触面側であって、かつその中央付近に、円柱状の電極軸部６０を突出するようにして一体成形することにより形成されている。
【００１５】
電極頭部５０には、外側面の一部を切欠くようにして、第１及び第２の把持面５０Ａ及び５０Ｂが、対向して長方形状に形成されている。これにより、作業者は、これら第１及び第２の把持面５０Ａ及び５０Ｂを把持すれば、溶接電極１０を容易に取り扱うことができる。
【００１６】
電極本体４０の中央部分には、ボルト軸部２０Ｂの外径より長く、かつボルト頭部２０Ａの外径より短い内径を有する貫通孔７０が穿設されている。
【００１７】
この貫通孔７０の内側面のうち、下側開口端付近には、段差８０が形成されている。これにより、貫通孔７０のうち、段差８０の上側部分は、段差８０の下側部分より、内径が長くなるように形成されている。
【００１８】
また、貫通孔７０のうち、段差８０の上側部分には、ボルト軸部２０Ｂの外径より長い内径を有する円筒状の絶縁スリーブ９０が固着されている。この絶縁スリーブ９０は、溶接ボルト２０のボルト軸部２０Ｂが、溶接電極１０の貫通孔７０の内側面に接触することを防止し、これらの電気的な絶縁を図るために設けられている。
【００１９】
本実施の形態の場合、貫通孔７０の下側開口端付近に形成された段差８０によって、絶縁スリーブ９０を支持することにより、絶縁スリーブ９０が脱落し、下方に落下することを防止することができる。
【００２０】
ところで、溶接ボルト２０を被溶接板３０に溶接する際には、溶接電極１０を下側に配置することにより、当該溶接電極１０を下側電極として使用する。具体的には、溶接電極１０の電極軸部６０に形成されたねじ山を、図示しない電極支持部のねじ孔に螺合し固定する。
【００２１】
続いて、被溶接板３０の穴３０Ａを溶接電極１０の貫通孔７０に適合させるように、溶接電極１０上に被溶接板３０を載置した後、溶接ボルト２０のボルト軸部２０Ｂを、被溶接板３０の穴３０Ａ及び溶接電極１０の貫通孔７０に順次挿入することにより、ボルト頭部２０Ａに形成された複数の突起部２０Ｃを被溶接板３０に当接させる。
【００２２】
この状態において、上側に配置される上側電極（図示せず）の下面を溶接ボルト２０の上面に接触させ、通電させることにより、ボルト頭部２０Ａの突起部２０Ｃを溶融して、溶接ボルト２０を被溶接板３０に接合させる。
【００２３】
因みに、貫通孔７０の内側面に段差８０を設けることなく絶縁スリーブ９０を固着すると、溶接を行おうとする前に、絶縁スリーブ８０が貫通孔７０の内側面から剥がれ、脱落することがある。
【００２４】
絶縁スリーブ８０が貫通孔７０から脱落した状態で、溶接を行おうとすると、溶接ボルト２０のボルト軸部２０Ｂが、溶接電極１０の貫通孔７０の内側面に接触する場合が起こり得る。この場合、スパークの発生による、ねじ山の損傷や、溶接電流の分流による、溶着不良が発生することを避け得ない。
【００２５】
これに対して、本実施の形態のように、貫通孔７０の内側面のうち、下側開口端付近に、段差８０を設ければ、当該段差８０がストッパとしての機能を果たし、これにより、絶縁スリーブ９０が脱落し、落下することを防止することができる。
【００２６】
従って本実施の形態によれば、溶接ボルト２０を損傷させることなく、確実に溶接を行うことができる。
【００２７】
このように、本実施の形態の場合、円盤状のボルト頭部２０Ａに、ボルト頭部２０Ａの外径より短い外径を有する円柱状のボルト軸部２０Ｂを一体成形した溶接ボルト２０を、ボルト軸部２０Ｂの外径より長く、かつボルト頭部２０Ａの外径より短い内径を有する穴３０Ａが穿設された被溶接板３０に、溶接する際に使用される溶接電極１０は、断面が凸型形状に形成され、電極頭部５０の外径より短い外径を有する電極軸部６０が、電極頭部５０から下方に突出するようにして、電極頭部５０に一体成形された電極本体４０と、電極本体４０の中央部分に穿設され、ボルト軸部２０Ｂの外径より長く、かつボルト頭部２０Ａの外径より短い内径を有する貫通孔７０と、ボルト軸部２０Ｂが、電極本体４０上に載置された被溶接板３０の穴３０Ａを介して貫通孔７０内に挿入され、ボルト頭部２０Ａが被溶接板３０に接触した状態において、ボルト軸部２０Ｂの下端より下方の位置であって、かつ貫通孔７０の内側面に形成された段差８０と、貫通孔７０の内側面うち、段差８０の下側部分より長い内径を有する段差８０の上側部分に、ボルト軸部２０Ｂを覆うようにして固着され、ボルト軸部２０Ｂの外径より長い内径を有する円筒状の絶縁スリーブ９０とを備える。
【符号の説明】
【００２８】
１０  溶接電極
２０  溶接ボルト
３０  被溶接板
４０  電極本体
５０  電極頭部
６０  電極軸部
７０  貫通孔
８０  段差
９０  絶縁スリーブ
【図１】
0003209901.tif 000003